(57)【特許請求の範囲】
【請求項１】
触媒層の上端に位置し、液相／気相混合物を触媒層に均一に分散させるためのチムニートレイであって、
複数の貫通孔を有するトレイと、前記貫通孔に垂直に嵌合された複数のチムニーとを備え、
前記チムニーは両端が解放された円筒状をなしており、このチムニー上部から降り注ぐ液相反応物の流入を防ぐとともに、チムニー上部の解放面積を調節して気相反応物の流速を調節しつつ該気相反応物をチムニー内に導入する上部カバーと、前記チムニーの下部に設けられて前記トレイに貯留されている液相反応物をチムニーの内壁側に流入させるためにチムニーを貫通して設けられた排出口と、前記チムニー内に流入された液相／気相混合物を前記触媒層上に分散排出するための下端部とを有するものであり、
前記チムニーの下端部は、前記トレイの下側から前記トレイの法線方向に対して１０°以上で４０°未満の角度を成すように一体に設けられて延長されて下方に行くほど直径が増加する円錐形に形成されたものであり、
前記複数のチムニーは、前記トレイ上に格子状に配列されており、
前記チムニーの排出口は、前記チムニーの一側とこの一側に対向する他側とにそれぞれ設けられた一対の排出口である第１排出口と、前記第１排出口が設けられた位置より上側の位置に設けられ、前記チムニーの一側とこの一側に対向する他側とにそれぞれ設けられた一対の排出口であって前記チムニーの縦芯部へ液相反応物が流入するように貫設された第２排出口とを有し、
前記第１排出口は、チムニー内に流入する液相反応物に回転力を与えるために前記一側の排出口が内壁に開口する箇所と他側の排出口が内壁に開口する箇所とを結ぶ方向に対して傾くように対向して貫設されているとともに、格子状に配列された多数のチムニーにおいて、それぞれのチムニーの第１排出口の一側の開口と他側の開口とを結ぶ方向が、隣接する他のチムニーの第１排出口の一側の開口と他側の開口とを結ぶ方向に対して垂直になるように配列されていることを特徴とするチムニートレイ。
【請求項２】
前記チムニーの下端部は触媒層から１８０〜２２０ｍｍ離隔していることを特徴とする、請求項１に記載のチムニートレイ。
【請求項３】
前記下端部はトレイの法線方向に対して２５〜３５°の角度を有することを特徴とする、請求項１に記載のチムニートレイ。
【発明の詳細な説明】
【技術分野】
【０００１】
本発明は、反応器のチムニートレイに係り、さらに詳しくは、チムニーの内部で気相反応物と液相反応物とをよく混合させ、固定層反応器の触媒層上に液相反応物を均一に分散させて反応物の分散性能を向上させることにより、液相反応物の流れ均一度による触媒との接触効率およびこれによる反応効率を向上させることができるようにした、高性能チムニートレイに関する。
【背景技術】
【０００２】
一般に、触媒層反応器は、石油化学工場で多用されており、触媒層に液相と気相の反応物が同時に流れながら反応を起こす方式であって、液相反応物と気相反応物が下方に流れるときを並流（concurrent flow）とし、液相反応物は下方に、気相反応物は上方に流れるときを向流（countercurrent flow）とする。この際、触媒層内の液相反応物と気相反応物の流れ均一度による触媒との接触効率の度合いによって反応効率が左右される。また、チムニートレイは、前記反応器で気相反応物および液相反応物が同持に下方に流下する場合に使用されるものであって、反応物が均一に触媒層上に分散できるようにし、反応器の運転条件に応じて必要なチムニーの数が決定される。
【０００３】
一般に、チムニートレイは、触媒層の上端に位置し、液相／気相混合物を触媒層に均一に分散させて触媒の活用を極大化させるためのものである。チムニートレイの外部には、液体が、一定の水位を保ちながら孔を介してチムニーの内部に流入し、チムニーの内部に流入する速い流速の気体に出会ってトレイの下部貫通孔を介して分散される。
【０００４】
図１は触媒層反応器におけるチムニートレイの一般な作動原理を示している。触媒層反応器は、一般に、トレイ１と触媒層２との間に所定の間隔の空間４が必要である。前記空間４は気相反応物が反応器全体にわたって均一な圧力で流下することを可能にし、トレイ１の下端部を介して液相反応物が均一に分散されることを可能とする。チムニー３は、所定の直径と長さを有する環状のものであって、一般に、上端部と下端部側に所定の直径をもって貫設された排出口３ａ、３ｂを備え、下端部がトレイ１の貫通孔１ａに垂直に接合されて配置される。
【０００５】
図２は触媒層上に液相反応物をより均一に分散させるための、反応器のチムニートレイに関する特許（特許文献１）を示すものであって、所定の直径を有する複数の貫通孔として、チムニー３の下端部側にチムニーの外周面に対する接線方向に複数の排出口が対向して貫設される。また、前記排出口は、下端部の縁部に沿って、所定の角度で傾いた傾斜面１ｂを有する。前記傾斜面１ｂの傾斜角が増加するにつれて、触媒層上に液相反応物の液滴が広がる面積が大きくなり、液相反応物が軸を中心に放射状に流れる。
【０００６】
図１に示した従来のチムニーは、チムニー３の排出口３ａ、３ｂを介して流れる液相反応物が反対側のチムニーの内壁とぶつかって小さい液相粒子に砕かれた後、トレイの貫通孔１ａから噴射されて触媒層２上に均一に分散するようにしたものであるが、一般な触媒層反応器の運転条件では、液相粒子に砕かれるよりはチムニー３の内側空間で一定の流れが形成されてトレイ１の貫通孔１ａの下側中央に落ちる。ところが、チムニーの貫通孔を経た液相反応物が、各チムニーに割り当てられた触媒層の中央部に集中的に流下して液相反応物のチャネリング（channeling）現象を起こし、触媒の磨耗による反応器の圧力上昇の原因になるおそれがある。
【０００７】
図２の特許文献１の場合も、下端部の接線方向の排出口と下端部の傾斜面１ｂの傾斜角により軸を中心として放射状に分散させることにより上述の欠点を補完したが、チムニーの上部が露出してチムニー３の上部から液相反応物が混入されることにより分散性能を低下させるうえ、液相反応物の物理的特性に応じて液滴が下端部の傾斜面１ｂに沿ってトレイ１の下端部に流下して所望の水準の分散性能を得ることが難しくなるおそれがある。
【先行技術文献】
【特許文献】
【０００８】
【特許文献１】韓国特許第０４２１１３０号明細書
【発明の概要】
【発明が解決しようとする課題】
【０００９】
そこで、本発明の目的は、触媒層上のチムニートレイにおける反応物の分散性能を改善して反応物と触媒層との接触効率を向上させ、チムニーの上部が露出してチムニー上から降り注ぐ液体反応物がチムニーの内部に流入することを防止することが可能な、反応器のチムニートレイ、および適正のチムニートレイの配列を提供することにある。
【００１０】
本発明の他の目的は、前記チムニートレイを用いて、反応物が触媒層に均一かつ適正に分布できるようにする、チムニーの配列を有するチムニートレイを提供することにある。
【課題を解決するための手段】
【００１１】
上記目的を達成するための本発明に係るチムニートレイは、複数の貫通孔を有するトレイ、および前記貫通孔に垂直に嵌合され、少なくとも一つの排出口が設けられた多数のチムニーを備えるチムニートレイにおいて、前記チムニーは、前記トレイの下側から前記トレイの法線方向に対して１０〜４０°の角度を成すように一体に設けられて延長される円錐形の下端部を備えることを特徴とする。
【００１２】
本発明の他の具体例は、前記チムニートレイの上部に、液相反応物の流入を防止する上部カバー、およびチムニーの接線方向に対して傾くように対向して貫設された排出口をさらに含むことを特徴とする、チムニートレイを提供する。
【００１３】
本発明の別の具体例は、触媒層上に液相反応物を均一かつ適正に分散させるための、それぞれのチムニーが、チムニーに対向して貫設された排出口が互いに垂直するように配列された、液相反応物の分散形態を考慮したチムニーの配列を有する、チムニートレイを提供する。
【発明の効果】
【００１４】
上述したように、本発明に係る触媒層反応器上に液相反応物を均一に分散させるためのチムニートレイは、液相反応物の分散性能を著しく改善させて反応物と触媒との接触効率を増大させて反応性を増大させることができる。
【図面の簡単な説明】
【００１５】
【図１】触媒層反応器におけるチムニートレイの一般な作動原理を示す。
【図２】前記特許文献１のチムニートレイを示す。
【図３】本発明に係るチムニートレイの一具体例を示す。
【図４】図３のＡ−Ａ’線に沿った平断面図である。
【図５】図３のＢ−Ｂ’線に沿った平断面図である。
【図６】円錐形の下端部の角度による分散性能を比較して示すグラフである。
【図７】本発明に係るチムニートレイの分散断面の模様を示す。
【図８】チムニートレイを経た反応物が楕円形に分散されることを考慮したチムニーの四角形の配列を示す配置図である。
【図９】実施例の分散性能と比較例１の分散性能とを比較して示すグラフである。
【図１０】前記特許文献１のチムニートレイの分散性能と本発明に係るチムニートレイの分散性能とを比較して示すグラフである。
【発明を実施するための形態】
【００１６】
以下、本発明をより詳細に説明する。
【００１７】
本発明は、反応器のチムニートレイに関するものである。本発明のチムニートレイは、多数の貫通孔を有するトレイと、前記貫通孔に嵌合されて設けられた多数の円筒形のチムニーとを含んでなり、各チムニーは、前記チムニー５の上部からの液相反応物の流入を防ぎ、気相反応物の流量に応じて開放面積（Open Area）を調節して気相反応物の流速を速くする上部カバーと、前記チムニーの下端部から延長され、前記トレイの法線方向に対して１０°〜４０°の角度を成して、下方に行くほど直径が増加する円錐形に設けられる下端部と、下端部の接線方向に対して傾くように対向して貫設された排出口とを有することを特徴とする。また、本発明の他の具体例は、図７に示すように、液相反応物が楕円形に分散されて触媒層上に分散排出されるが、このような反応物の分散形態を考慮して、それぞれのチムニーの対向貫設された排出口が他のチムニーの対向貫設された排出口に対して垂直を成すように配列されたチムニーの配列を有することを特徴とする。図３には本発明に係る触媒層上に液相反応物を均一に分散させるためのチムニートレイの好適な実施例の構成および結合構造が示されている。
【００１８】
前記チムニーには、トレイの上部に貯留されている液相反応物をチムニーの内壁側に流入させるように、対向してチムニーを貫通して設けられる複数の第１排出口を有する。
図５に示すように、前記排出口は、チムニーの横断面の接線方向に対して傾くように対向して貫設される。これは流入する液相反応物が回転力を受けることができるように排出口に一定の角度を持たせるためである。一側の第１排出口に対向して設けられた他側の第１排出口は、互いに同一の角度で傾いて設けられ、液相反応物が回転力を受ける方向が同一となるようにする。前記第１排出口を介してチムニー内に流入して流下する液相反応物は第１排出口によって回転力を受けて縦芯部の液相反応物の流量が減少する。よって、これを補充するために、第１排出口の上側に、縦芯部へ液相反応物が流入するように対向して貫設される複数の第２排出口を有する。前記第２排出口は、縦芯部へ液相反応物が流入するようにしなければならないので、図４に示すように、チムニー外部の横断面の接線方向に対して垂直な形で貫設される。
【００１９】
前記チムニー５の上部には、液相反応物の流入を防ぎ、気相反応物の流量に応じて開放面積（Open Area）を調節して気相反応物の流速を速くする上部カバーが位置する。前記上部カバー６は、チムニーの直径より大きい直径を有し、その端部が下側、すなわちチムニー方向に折り曲げられた帽子（hat）形を適用することにより、チムニーの貫通孔からの液相反応物と気相反応物の分散を阻害する液相反応物の流入を遮断し、チムニー上部の開放面積を減らすことにより、気体反応物の流速を増加させてトレイの下部から液相反応物が広がる面積を増加させることを特徴とする。トレイ１は、所定の直径を有する多数の貫通孔が所定の配列をもって貫設される。
【００２０】
前記チムニー５は、所定の直径と長さを有する、両端部が開放された管状をし、複数の第１排出口５ａ、５ｂ、複数の第２排出口５ｃおよび円錐形の下端部５ｄを有する。前記下端部は、前記トレイの下側から前記トレイの法線方向に対して所定の角度をなすように一体に設けられて延長される円錐形を有する。これは、一定の角度を有するチムニーの下端面を介して分散される効果を達成しようとした前記特許文献１の発明とは異なり、前記トレイの下部にチムニーの下端部が下降して設けられることにより、液相反応物がトレイの下部壁面に沿って流れる影響を源泉的に防止した。
【００２１】
前記下端部の傾斜角度θは、液相反応物の物性および流量などを考慮して選択され、傾斜角度に応じて、触媒層２上に液相反応物の液滴が広がる面積が大きくなる。好ましい傾斜角度θは、前記トレイの法線方向に対して１０°〜４０°、好ましくは２５°〜３５°である。前記角度が１０°未満であれば、液相反応物の分散が縦芯部に集中し、前記角度が４０°以上であれば、チムニーの下端部側の接線方向の複数の貫通孔による液相反応物の分散が十分ではなくて液滴が円錐形の壁に沿って流下するので、分散効率が低下する。
【００２２】
図６は傾斜角度による分散性能を示すものである。図６に示すように、傾斜角度θが０の場合には液相反応物が縦芯部に集中することが分かるとともに、これに比べて角度が大きくなるほど縦芯部からさらに遠い距離まで均一に広がることが分かる。
【００２３】
前記下端部は、触媒層から１８０〜２２０ｍｍ程度の距離に離隔して位置することが好ましい。前記下端部が触媒層から１８０ｍｍ以下に離隔する場合、液相反応物が十分に広げられないため所望の分散性能を得ることができなくなり、液滴が集中してチャネリングおよび触媒の磨耗を起こすおそれがある。前記下端部がトレイから２２０ｍｍ以上の距離に位置する場合、液滴の分散限界により、十分な分散を得ることができず、限定された反応器の高さで触媒の充填高さが減少する。
【００２４】
図７は本発明に係る分散断面の模様を示す。複数の第１排出口５ａ、５ｂによって液滴が回転力を受けるため、触媒層上に滴下する液相反応物の形状が円形ではなく楕円形をなす。
【００２５】
よって、反応物の分散形態を考慮し、チムニーは、図８に示すように、それぞれのチムニーに対向して貫設された第１排出口は第１排出口を連結した仮想の線が、他のチムニーに設けられた第１排出口を連結する仮想の延長線と直交をなすように設けられ、トレイ上の多数のチムニーが四角形の配列をなすようにすることが好ましい。すなわち、前記多数のチムニーは、格子状に配列され、それぞれのチムニーの排出口が他のチムニーの排出口に対して垂直に配列される。
【００２６】
これは液相反応物を触媒層にさらに均一に分散させるためである。排出口が同一の方向となるようにチムニーが配列される場合、同一の面積に比べて過度なチムニーの使用が必要であるなど、費用および効率の面で良くなく、液相反応物が分散される面積が重なり合って分散効率を低下させるおそれがある。これに対し、本発明に係るチムニーの配列を有するチムニートレイの場合は、それぞれのチムニーの分散形態を考慮することによりさらに高い分散性能を達成することができる。
【００２７】
また、前記特許文献１を参照すると、前記チムニーの外径と内径との差（以下、チムニーの厚さ）は液相反応物が第１排出口を通過するときに回転力を与える重要な変数である。すなわち、前記チムニーの厚さが増加すると、回転力が増加するが、これによる排出係数（discharge coefficient、小さい孔に流体が通過するときの流れの妨害度を示す係数）は減少し、最適の運転のためには適切な回転力が重要であり、これに対する実験結果として、水の場合には前記チムニーの厚さが５ｍｍ以上であれば必要な回転力を得ることができる。
【実施例】
【００２８】
本発明のチムニートレイを用いて分散性能をテストした。チムニーの長さ方向に対して円錐が成す角度は３０°であった。また、チムニーの下端部が触媒層から離隔した距離は２００ｍｍであった。また、チムニーあたりの空気流量は５０Ｌ／Ｍｉｎ、チムニーあたりの液相反応物の流量は９Ｌ／Ｍｉｎであった。
【００２９】
比較例１
気相および液相反応物の流量を前記実施例と同様に適用し、但し、従来のチムニートレイを用いて分散性能をテストした。
比較例２
既存の前記特許文献１のチムニートレイを用いて同一の気相および液相反応物の流量で分散性能をテストした。
【００３０】
前記実施例の分散性能と比較例１の分散性能との比較結果が図９に示されている。その結果より、本発明に係るチムニートレイを使用した場合、従来のチムニートレイを使用した場合に比べて液相反応物がさらに均一に広がることが分かる。
【００３１】
また、実施例の分散性能と既存の前記特許文献１（比較例２）の分散性能との比較結果が図１０に示されている。既存の前記特許文献１と比較しても、液相反応物がさらに均一な分布を有することが分かる。これは、本発明に係るチムニートレイの場合、既存の前記特許文献１とは異なりトレイの下部にチムニーの下端部が下降して設けられ、トレイの下部壁面に沿って流れる液体を源泉的に遮断することにより、既存の前記特許文献１の場合、すなわちトレイの下部傾斜角によって一部の液滴がトレイの下部壁面に沿って流れることにより液滴の分散に悪影響を及ぼす場合に比べて優れた分散効率を示すことを示唆する。
【００３２】
図９および図１０において、ｑはチムニーあたり割り当てられた触媒層表面の任意の点における単位面積あたり、単位時間あたり液相反応物が流れる量を示し、ｒは割り当てられた触媒層面積の中心からの距離を示す。
【符号の説明】
【００３３】
１    トレイ
２    触媒層
３    チムニー
３ａ    液相反応物の排出口
３ｂ    排出口
４    トレイと触媒層との間隔
５    本発明のチムニー
５ａ、５ｂ    第１排出口
５ｄ    円錐形のチムニー下端部
６    帽子形のチムニー上部
【図１】
0005661106.tif 000002
【図２】
0005661106.tif 000003
【図３】
0005661106.tif 000004
【図４】
0005661106.tif 000005
【図５】
0005661106.tif 000006
【図６】
0005661106.tif 000007
【図７】
0005661106.tif 000008
【図８】
0005661106.tif 000009
【図９】
0005661106.tif 000010
【図１０】
0005661106.tif 000011